(57)【要約】【課題】    ライブカメラを用いたリアルタイムのネット動画情報は、公共の場ではゲレンデ等に限られており、ユーザーが見たい場所に設置されていることはほとんど無く、一方で、商品等をネット上で購入する際には広告主のホームページを検索するか、インターネットモール内で購入する事がほとんどであった。【解決手段】    全国各地の宅配便取次店ごとに予め設置したライブカメラにより、ユーザーの興味のある地域に一番近い場所のリアルタイムの動画が閲覧出来、その際にライブ動画の表示画面に商品の広告等がリンク表示されているため、ユーザーが広告主のホームページへ即移動し、商品を申し込む事が簡単に出来る。【選択図】図１
2008310788.tif 000002
【特許請求の範囲】
【請求項１】
ユーザーの情報端末で、ユーザー自身により、宅配便本社又は管理会社に設置されたメインサーバーを経由し、ユーザー登録申請等の工程後、該メインサーバー内のデータベースへユーザー登録する工程が有り、該ユーザー登録後、ユーザー自身が指定した全国各地の宅配便取次店に予め設置したライブカメラにより映し出される宅配便取次店近辺のリアルタイムの動画が、有線又は無線回線により最終的に該メインサーバーを経由して、ユーザーの情報端末に表示されるよう構成されており、その際、各宅配便取次店ごと又は一定の地域の範囲ごとに予め申し込まれる種々の広告情報等が、動画画面の一部にリンク表示され、ユーザーが該リンク表示画面で、広告に対して、注文や応募等の種々の情報サービスが受けられる事を特徴とする全国各地の宅配便取次店に設置したライブカメラを利用した広告情報提供システム。
【請求項２】
情報端末がパソコン又は携帯電話である事を特徴とする請求項１に記載の全国各地の宅配便取次店に設置したライブカメラを利用した広告情報提供システム。
【請求項３】
有線又は無線回線が、インターネット回線又は携帯電話回線である事を特徴とする請求項１に記載の全国各地の宅配便取次店に設置したライブカメラを利用した広告情報提供システム。
【請求項４】
全国各地の宅配便取次店近辺のリアルタイムの動画が、プライバシーに配慮した公道、風景又は取次店の駐車場である事を特徴とする請求項１に記載の全国各地の宅配便取次店に設置したライブカメラを利用した広告情報提供システム。
【請求項５】
ユーザー自身の情報端末でライブカメラの方向転換、ズームイン、ズームアウト等の遠隔操作が出来る事を特徴とする請求項１に記載の全国各地の宅配便取次店に設置したライブカメラを利用した広告情報提供システム。
【請求項６】
宅配便取次店がコンビニエンスストアである事を特徴とする請求項１に記載の全国各地の宅配便取次店に設置したライブカメラを利用した広告情報提供システム。
【請求項７】
予め申し込まれる種々の広告情報が宅配便取次店の扱う商品である事を特徴とする請求項１に記載の全国各地の宅配便取次店に設置したライブカメラを利用した広告情報提供システム。
【請求項８】
全国各地の宅配便取次店ごと又は一定の地域の範囲ごとに予め申し込まれリンク表示される広告情報等の申し込み、登録、サーバーへのアップロード、サイト構築作業又は更新・管理作業が宅配便取次店、宅配便本社、宅配便取次店を管轄する広告代理店又は管理会社において行われる事を特徴とする請求項１に記載の全国各地の宅配便取次店に設置したライブカメラを利用した広告情報提供システム。
【請求項９】
ユーザーがリンク表示画面で、広告に対して、注文し、商品等を購入することにより、リンク元サイトの宅配便取次店、宅配便取次店を管轄する広告代理店、管理会社又は宅配便本社に報酬が支払われる事を特徴とする請求項１に記載の全国各地の宅配便取次店に設置したライブカメラを利用した広告情報提供システム。
【請求項１０】
ユーザーがリンク表示画面で、広告に対して、注文した商品の配送業務がメインサーバーを有する宅配便会社において行われる事を特徴とする請求項１に記載の全国各地の宅配便取次店に設置したライブカメラを利用した広告情報提供システム。
【請求項１１】
ユーザーが宅配便本社又は管理会社に設置されたメインサーバーを経由し、ユーザー登録を行う事で、宅配便の送り状の記入簡素化、宅配便の割引、有償の情報サービスの割引又はポイントサービスが受けられる事を特徴とする請求項１に記載の全国各地の宅配便取次店に設置したライブカメラを利用した広告情報提供システム。
【発明の詳細な説明】
【技術分野】
【０００１】  本発明は、ライブカメラを利用した広告情報提供システムに関し、予め全国各地の宅配便取次店ごとに該ライブカメラを設置し、動画画面の一部に予め申し込まれた広告情報がリンク表示され、ユーザーが該リンク表示画面で広告情報に注文等が出来る事を特徴とする全国各地の宅配便取次店に設置したライブカメラを利用した広告情報提供システムに関する。
【背景技術】
【０００２】  最近、インターネット回線を用いたＷｅｂｃａｍ等のライブカメラで、遠隔地のユーザー同士が動画会話したり、又例えばスキー場のゲレンデにライブカメラを設置しておいて、ゲレンデの状態や状況等の情報を集客に利用している。【０００３】  一方で、ユーザーが商品等をネット購入する際は、広告主のホームページ上で申し込んでいる。
【発明の開示】
【発明が解決しようとする課題】
【０００４】  しかしながら、ライブカメラを公共の場に設置している所は、先述のゲレンデ等に限られており、ユーザーが見たい場所に有ることは少なかった。また個人がライブカメラを自宅等に設置して第三者が動画閲覧出来るというシステムも、コンテンツ構築、セキュリティ、費用、プライバシー等の問題があり、なかなか実現していないのが現状である。
一方、商品等をネット上で購入する際は検索エンジン等で商品を検索して広告主のホームページを探したり、インターネットモール内等で探す事が多かった。
また、全国各地の地元の特産品等は、広告主がホームページを有していない限り、ネット上で探し出す事は難しかった。
【課題を解決するための手段】
【０００５】  上記課題を解決するために本発明は、ユーザーの情報端末で、ユーザー自身により、宅配便本社又は管理会社に設置されたメインサーバーを経由し、ユーザー登録申請等の工程後、該メインサーバー内のデータベースへユーザー登録する工程が有り、該ユーザー登録後、ユーザー自身が指定した全国各地の宅配便取次店に予め設置したライブカメラにより映し出される宅配便取次店近辺のリアルタイムの動画が、有線又は無線回線により最終的に該メインサーバーを経由して、ユーザーの情報端末に表示されるよう構成されており、その際、各宅配便取次店ごと又は一定の地域の範囲ごとに予め申し込まれる種々の広告情報等が、動画画面の一部にリンク表示され、ユーザーが該リンク表示画面で、広告に対して、注文や応募等の種々の情報サービスが受けられるようにしておく。
本発明は以上のような構成からなる全国各地の宅配便取次店に設置したライブカメラを利用した広告情報提供システムである。
【発明の効果】
【０００６】  本発明の全国各地の宅配便取次店に設置したライブカメラを利用した広告情報提供システムは以上のような構成であるため、例えばユーザー自身が興味のある地域に一番近い場所にある宅配便取次店からのリアルタイムの動画が自由に閲覧出来るシステムとなる。特にライブカメラの設置場所が日本全国に存在している宅配便取次店としたことで、ユーザーの故郷のように興味を抱きやすい所には大体、宅配便取次店が在るため、確実にアクセスする事が見込まれる。もちろん宅配便取次店がコンビニエンスストアであれば、駐車場を写しておく事により、駐車場の混み具合や防犯効果、更には天気等が確認出来るため特に携帯電話からアクセス出来れば、更にアクセスアップが出来るシステムとなる。
またライブ動画の表示画面に、例えばその地域の特産品の広告や宅配便取次店自身の扱う商品等をリンク表示させれば、ユーザーの購入意欲を高める広告効果が得られる優れた広告情報提供システムとなる。
又、実際にリンク表示された広告に対して注文し、商品等を購入することにより、リンク元サイトの宅配便取次店、宅配便取次店を管轄する広告代理店、管理会社又は宅配便本社に報酬が支払われるシステムとする事により、更に良いサイトを構築するようになる。
なお、ユーザーがリンク表示画面で、広告に対して、注文した商品の配送業務がメインサーバーを有する宅配便会社において行われる事により、顧客増加の得られるものとなる。
更に、ユーザーが宅配便本社又は管理会社に設置されたメインサーバーを経由し、ユーザー登録を行う事で、宅配便の送り状の記入簡素化、宅配便の割引、有償の情報サービスの割引又はポイントサービスが受けられるようにすれば、広告効果の高いものとなる。
【発明を実施するための最良の形態】
【０００７】  本発明で言うユーザー自身が宅配便本社又は管理会社に設置されたメインサーバー内のデータベースへユーザー登録する種々の登録内容としては、名前、住所、電話番号、生年月日、メールアドレス、パスワード等があげられるが、用途に応じて追加登録されて良い。
なお、ユーザー登録後、各ユーザーに与えられるＩＤパスワード等を入力する事で、ライブカメラへアクセス出来る事が望ましい。
全国各地の宅配便取次店に設置するライブカメラは、通常、宅配便取次店の軒下、玄関、窓等に設置出来、風雨に耐えうるものが好ましく、プライバシーに配慮した公道、風景又は取次店の駐車場等を映すように設置される。又、ライブカメラはＷｅｂｃａｍのように、各宅配便取次店ごとに設置しているパソコンのような情報端末に接続配線出来るものであれば、特に限定されるものではない。なお、ライブカメラはユーザーの操作において方向転換、ズームイン、ズームアウトが出来るものであれば更に好ましい。
表示される動画画面の表示形式、方法等も特に限定される事はない。
動画画面の一部にリンク表示される種々の広告情報等は、各宅配便取次店ごと又は一定の地域の範囲ごとに変えてもよく、特にその地域の特産品や宅配便取次店の扱う商品等が広告として表示される事が好ましい。
なお、各宅配便取次店ごと又は一定の地域の範囲ごとにリンク表示される広告主からの広告情報等の申込みや登録、更にはサーバーへのアップロード等のサイトの構築等の諸工程は、宅配便取次店、宅配便本社、宅配便取次店を管轄する広告代理店又は管理会社が行えるが、特に宅配便取次店を管轄する広告代理店又は管理会社が行うことが好ましい。
本発明のリアルタイムの動画は、ＡＤＳＬ、光回線等の公知のインターネット回線のような有線回線又は携帯電話回線のような無線回線等において配信されるのが好ましい。
本発明で言う宅配便取次店は、一般の小売店でも良いが、特にコンビニエンスストアである事が望ましい。
その場合、ライブカメラを駐車場に向けて設置する事で、防犯上の意識も高まり、また店の駐車場の混み具合等がインターネットで予めわかる等の副次的効果が得られる。
【実施例】
【０００８】  以下、本発明の一実施例を、図１で説明する。なお、図１は全国各地の宅配便取次店に設置したライブカメラを利用した広告情報提供システムを説明するためのフローチャートである。【０００９】  ユーザー自身により、宅配便本社に設置されたメインサーバーのデータベース（８）にユーザー登録申請（２）をユーザーのパソコン端末（１）で行い、ユーザー情報が未登録（３）の場合は、ユーザー自身が氏名、住所等の新規登録（４）するのであるが、この際、宅配便本社側において登録申請の登録確認（５）後データベースへ登録（７）する。そしてユーザーへパスワード発行（６）される。
又、ユーザー登録後以降は、ユーザー登録済（９）としてパスワードを入力（１０）することで、ユーザー自身が指定した全国各地の宅配便取次店に予め設置されたライブカメラにより映し出される宅配便取次店近辺のリアルタイムの動画がユーザーのパソコン端末に表示（１１）される。その際に各宅配便取次店ごとに予め申し込まれた種々の広告情報の閲覧（１１）も出来る。
そのリンク表示された広告をクリックする事で広告主のホームページへ移動し商品の申込み（１２）が行われる。
【図面の簡単な説明】
【００１０】
【図１】  図１は、本発明の全国各地の宅配便取次店に設置したライブカメラを利用した広告情報提供システムを説明するためのフローチャートである。
【符号の説明】
１  ユーザーのパソコン端末    ２  宅配便本社に設置されたメインサーバー内のデータベースへユーザー登録申請    ３  未登録    ４  新規登録    ５  登録確認    ６  パスワード発行    ７  データベースへ登録    ８  メインサーバー内のデータベース    ９  登録済    １０  パスワード入力    １１  全国各地の宅配便取次店のライブカメラの動画表示及びリンク表示された種々の広告情報の閲覧    １２  広告ホームページでの商品申込み
【図１】
2008310788.tif 000003